(57)【要約】      （修正有）【課題】餌や撒き餌を釣り針に取り付けて確実に狙ったポイントに投げ入れることができる方法、釣り上げた魚等の獲物から容易に釣り針を外すことができ、殊に毒性が高い場合でも安全に釣り針を外すことができる方法の提供。【解決手段】餌１や撒き餌１１を釣り針３に取り付け、瞬間冷却剤２をその餌１や撒き餌１１に噴き付けて固化させるようにすること、撒き餌１１が収容されたコマセ籠の上部に瞬間冷却剤２を噴き付けて撒き餌１１の上層部に凍結層を形成したことにより、釣り上げた獲物の少なくとも頭部に瞬間冷却剤２を噴き付けて固化乃至失神状態とさせる。【選択図】図１
2015130823.tif 000002
【特許請求の範囲】
【請求項１】
餌１または撒き餌１１を釣り針３に取り付け、瞬間冷却剤２をその餌１または撒き餌１１に噴き付けて固化させ、これをポイント４に投げ入れることを特徴とする餌の処理方法。
【請求項２】
撒き餌１１が収容されたコマセ籠５の上部に瞬間冷却剤２を噴き付けて撒き餌１１の上層部に凍結層６を形成し、この状態でコマセ籠５をポイント４に投げ入れることを特徴とする撒き餌の処理方法。
【請求項３】
釣り上げた獲物７の少なくとも頭部に瞬間冷却剤２を噴き付けて固化乃至失神状態とし、その状態で獲物７から釣り針３を外すことを特徴とする魚等の釣り獲物の処理方法。
【請求項４】
釣り用の餌１や撒き餌１１、釣り上げた獲物７に噴き付けることによりその対象物を固化乃至失神状態にさせることを特徴とする釣り用瞬間冷却剤。
【発明の詳細な説明】
【技術分野】
【０００１】
本発明は、餌や撒き餌を釣り針に取り付けて確実に狙ったポイントに投げ入れることができる方法、釣り上げた魚等の獲物から容易に釣り針を外すことができ、殊に毒性が高い場合でも安全に釣り針を外すことができる方法並びにそれに使用する釣り用瞬間冷却剤に関する。
【背景技術】
【０００２】
釣りは餌を針に付けてポイントに投げ入れて魚を釣るものであり、また魚を誘い寄せるために撒き餌をすることもある。そして、釣り針に餌や、撒き餌を保持させたり、コマセ籠に撒き餌を収容して投げ釣りの要領で竿を振って所定のポイントに飛ばすが、一般に撒き餌に使われるアミや小魚、その切り身等は柔らかく、針先に付けて投げ入れる際、衝撃で千切れてしまい、大半がポイントに届かず、手前に落下してしまうことが多々見られる。コマセ籠による投げ入れの場合はポイント手前で撒き餌がコマセ籠から零れ落ちることが多いものであった。
【０００３】
また釣り上げた魚等は、口先から針を外すが、その際、魚等は生きているので、暴れ、外し難いものであり、大きい獲物では相当の体力、腕力が必要で、女性や子供では困難であり、また魚によっては毒性を有するものもあって、その場合はその歯で噛まれると危険でもあり、現在は頭を叩くなどして失神させるなどしておいて口から針を外しているのが実情であった。
【０００４】
ところで、液化天然ガス（ＬＰＧＡ）をスプレー缶に封入したものが知られており、患部を冷やしたり、タオルなどに噴き付けて冷し、それを頭部などに当て、冷すことは知られている。
【特許文献１】特開２０１２−１８７３７１号公報
【発明の開示】
【発明が解決しようとする課題】
【０００５】
本発明は上記の欠点を解消するもので、餌や撒き餌を確実に狙った場所に投げ入れることができる処理方法、釣り上げた魚等の獲物が大きくても簡単に釣り針を獲物から取り外せ、また獲物が毒性の高い場合でも安全に針を外すことができる方法並びにそれに使用する瞬間冷却剤を提供しようとするものである。
【課題を解決するための手段】
【０００６】
請求項１の本発明は、餌１や撒き餌１１を釣り針３に取り付け、瞬間冷却剤２をその餌１や撒き餌１１に噴き付けて固化させ、これをポイント４に投げ入れることを特徴とする。
【０００７】
請求項２の発明は、撒き餌１１が収容されたコマセ籠５の上部に瞬間冷却剤２を噴き付けて凍結層６を形成し、この状態でコマセ籠５をポイント４に投げ入れることを特徴とする。
【０００８】
請求項３の発明は、釣り上げた獲物７の少なくとも頭部に瞬間冷却剤２を噴き付けて固化乃至失神状態とし、その状態で獲物７から釣り針３を外すことを特徴とする。
【０００９】
請求項４の発明は、餌１或いは撒き餌１１や釣り上げた獲物７に噴き付けることによりその対象物を固化乃至失神状態にさせるための釣り用瞬間冷却剤である。この瞬間冷却剤は、夏場の餌や撒き餌、或いは釣り上げた獲物の冷却保存やリールの過熱解消にも利用できる。
【発明の効果】
【００１０】
請求項１の発明は、釣り針３に取り付けた餌１や撒き餌１１が瞬間冷却剤２の噴き付けで固化するので、竿１２を振って投げたときに、餌１や撒き餌１１は千切れることなくポイント４まで届くので、当初のままの大きさでポイント４に届き、当たりが来やすく、釣果の向上を図ることができる利点がある。
【００１１】
請求項２の発明は、コマセ籠５に入れられた撒き餌１１の上層部が瞬間冷却剤２の噴き付けにより凍結層６となり、これが蓋として作用するため、これをポイント４に投げ入れると、途中で撒き餌１１の一部が零れ落ちることがなく、確実に撒き餌１１の殆どをポイント４に集中して届かせることができ、獲物７を呼び込んで大漁に繋がる利点がある。
【００１２】
請求項３の発明は、釣り上げた獲物７の頭部に瞬間冷却剤２を噴き付けることにより、獲物７の頭部を固化させたり、獲物７を瞬間的に仮死状態にすることができるものであって、大きな獲物７がそのままでは暴れて釣り針３を外したり、獲物７を捌いたりし辛い場合でも、簡単に釣り針３を外したり、獲物を捌いたりでき、また、獲物７に毒性があったり、鋭い突起や歯があっても、固まった状態で簡単かつ安全に種々の処理ができる利点がある。
【００１３】
請求項４の発明は、上記のための餌１や撒き餌１１、獲物７の固化や仮死化処理を釣りの現場で、必要なときに簡単に餌や撒き餌、獲物等の必要な部位を冷却することにより固化させて釣りに供し、また獲物から針を外したり、獲物を捌いたり等の処理ができる利点がある。
【図面の簡単な説明】
【００１４】
【図１】本発明の餌の凍結処理の概略説明図。
【図２】同上の処理後の投げ入れの概略説明図。
【図３】本発明の撒き餌の凍結処理の概略説明図。
【図４】同上の処理後の投げ入れの概略説明図。
【図５】本発明において、大きな魚を釣った状態の概略説明図。
【図６】同上により釣り上げた大魚の本発明による処理の概略説明図。
【図７】本発明において、毒を持つ魚を釣った状態の概略説明図。
【図８】同上により釣り上げた毒魚の本発明による処理の概略説明図。
【発明を実施するための形態】
【００１５】
以下本発明を図面に基づき詳細に説明する。図１は本発明の１実施例の概略を示すもので、ハリス１０の先の釣り針３に餌１を取り付け、これを投げ入れる前にボンベに容れられた瞬間冷却剤２をシュッと噴き付けて凍らせておき、その状態で図２のように狙うポイントに竿１２を振って投げ入れる。これにより、餌１は元々柔らかく千切れ易いものであっても千切れることがなく、目的のポイント４に飛ばすことができて、釣果の向上が期待できる。魚を誘うための撒き餌１１を上記餌１と併せて投げ入れる場合はその撒き餌１１にも同様の処理ができる。
【００１６】
図３はコマセ籠５に撒き餌１１を収容する場合で、撒き餌１１の上層に瞬間冷却剤２を噴き付けるもので、そのことにより撒き餌１１の上層を凍らせて凍結層６を形成した後、図４のように竿１２を振って釣り針３とコマセ籠５をポイント４に投げ入れるものである。これにより撒き餌１１は凍結層６で蓋がされた状態でポイント４に到達する。ポイント４に到達後は凍結層６が溶けて撒き餌１１がポイント４に分散し、寄って来る魚を釣ることができるもので、今までのようにポイント４の手前に撒き餌がこぼれることが防止できる。しかもコマセ籠５はポイントに達すると開くような特殊な蓋を設置する必要もなく、簡単な構造で安価なコマセ籠５で目的を達成することができる。
【００１７】
図５のように大きな魚などの獲物７が釣り上げられた場合、暴れられると女性や子供では釣り針３を外したり、捌いたりするのが困難であるが、図６のように獲物７の頭部に瞬間冷却剤２を噴き付けることにより仮死状態にしたり、口元を凍結状態にするなどして、釣り針３を外したり、獲物７を捌いたりすることがし易くなる。
【００１８】
図７、図８は獲物７に毒性があったり、鋭い歯や突起等を有する場合で、この場合も獲物７の頭部に瞬間冷却剤２を噴き付けることにより矢張り仮死状態にしたり、口元を凍結状態に痺れさせるなどして、安全に釣り針３を外すことができる。
【００１９】
瞬間冷却剤２は主として高圧ＬＰＧを噴霧口付きの耐圧容器に収容したもので、大気中に噴出されることにより、接した物や雰囲気が氷点下以下に急冷されるもので、それ自体は人間が打ち身や挫き、発熱等の際に患部を急冷させるためのものと同様である。また、必要に応じて獲物の誘眠剤や痺れ成分等を配合したものでも良い。
【００２０】
このような瞬間冷却剤２は釣りにおいてはその他、夏場では布などに噴き付けておき、冷えた布で頭を冷したり、冷えたその布で餌を包んで餌の鮮度を長持ちさせたり、クーラーボックスにその凍結した布を保冷剤代用として入れたり、大きな獲物を釣り上げる際の急速回転で過熱するリールを冷却したりする等にも使用される。例えば特開２０１２−１８７３７１号公報に記載されたようなものでよい。
【産業上の利用可能性】
【００２１】
本発明は、娯楽としての釣りの他、産業としての漁業の現場においても、餌を凍らせて竿を振り、効率よく餌が付いた状態で釣り針を目的のポイントに投げ入れることができるものであり、撒き餌の場合も、コマセ籠から中の撒き餌を途中で落下することなく効率よくポイントに投げ入れることができるものであって、釣果の向上を図ることができる。また、撒き餌を不要な場所に徒に撒き散らすことも防止できて、水質汚染の防止にも寄与できる。
【００２２】
また、釣り上げた獲物から釣り針を外したり、獲物を捌いたりする場合に、獲物が大きい場合や毒性、危険性のある場合でも、獲物を固化、仮死状態にすることにより、安全かつ簡単に処理できる。
【符号の説明】
【００２３】
１は餌、２は瞬間冷却剤、３は釣り針、４はポイント、５はコマス籠、６は凍結層、７は獲物、１１は撒き餌である。
【図１】
2015130823.tif 000003
【図２】
2015130823.tif 000004
【図３】
2015130823.tif 000005
【図４】
2015130823.tif 000006
【図５】
2015130823.tif 000007
【図６】
2015130823.tif 000008
【図７】
2015130823.tif 000009
【図８】
2015130823.tif 000010